(57)【要約】      （修正有）【課題】運搬把手を冷蔵庫本体に対して強固に組み込み、且つ外観意匠性が向上された冷蔵庫およびその製造方法を提供する。【解決手段】冷蔵庫は、前方に開口を有する断熱箱体１１と、断熱箱体１１の内部に形成された冷蔵室等と、開口を前方から塞ぐ断熱扉等と、を具備する。また、断熱箱体１１は、外箱と、内箱と、外箱と前記内箱との間に充填された断熱材と、外箱を部分的に開口することで形成した把手用開口４２と、把手用開口４２に組み付けられた運搬用把手部４０と、を有する。また、運搬用把手部４０は、断熱箱体１１の内側に向かって窪む凹状部４５と、凹状部４５を取り囲む位置に配置されて外箱に取り付けられる取付部と、を有する。更に、把手用開口４２の周縁部には、断熱箱体１１の内部に向かって突出し、運搬用把手部の取付部が取り付けられる被取付部が形成される。【選択図】図６
2019109032.tif 000002
【特許請求の範囲】
【請求項１】
前方に開口を有する断熱箱体と、前記断熱箱体の内部に形成された貯蔵室と、前記開口を前方から塞ぐ断熱扉と、を具備し、
前記断熱箱体は、外箱と、内箱と、前記外箱と前記内箱との間に充填された断熱発泡材と、前記外箱を部分的に開口することで形成された把手用開口と、前記把手用開口に組み付けられた運搬用把手部と、を有し、
前記運搬用把手部は、前記断熱箱体の内側に向かって窪む凹状部と、前記凹状部を取り囲む位置に配置されて前記外箱に取り付けられる取付部と、を有し、
前記把手用開口の周縁部には、前記断熱箱体の内部に向かって突出し、前記運搬用把手部の前記取付部が取り付けられる被取付部が形成されることを特徴とする冷蔵庫。
【請求項２】
前記運搬用把手部は、一方向で対向する第１側辺部および第２側辺部と、他方向で対向する第３側辺部および第４側辺部と、を有し、
前記第１側辺部には、前記外箱の前記被取付部と締結手段を介して取り付けられる第１取付部が形成され、
前記第２側辺部、前記第３側辺部および前記第４側辺部には、前記外箱の前記被取付部に係合する第２取付部、第３取付部および第４取付部が形成されることを特徴とする請求項１に記載の冷蔵庫。
【請求項３】
前記運搬用把手部が取り付けられる前記把手用開口は、前記外箱の裏面部に形成されることを特徴とする請求項１または請求項２に記載の冷蔵庫。
【請求項４】
前記運搬用把手部の前記取付部の近傍を開口することで取付開口を形成し、
前記被取付部は、前記取付開口を挿通した状態で、前記取付部に取り付けられることを特徴とする請求項１から請求項３の何れかに記載の冷蔵庫。
【請求項５】
前記把手用開口の周囲の前記外箱を曲折することで折返部を形成し、
前記運搬用把手部の周辺部に形成した溝部に、前記折返部を嵌め込むことを特徴とする請求項１から請求項４の何れかに記載の冷蔵庫。
【請求項６】
前記運搬用把手部の周縁部を平坦に形成することで周辺当接部を形成し、
前記周辺当接部は前記外箱に内側から当接することを特徴とする請求項１から請求項５の何れかに記載の冷蔵庫。
【請求項７】
把手用開口が形成された外箱の裏面部を準備すると共に、凹状部と、前記凹状部を取り囲む位置に配置されて前記外箱に取り付けられる取付部と、を具備する運搬用把手部を準備する工程と、
前記裏面部の前記把手用開口の周縁部に形成された被取付部に、前記運搬用把手部の前記取付部を取り付ける工程と、
前記裏面部を前記外箱の側面部に組み付け、前記外箱と内箱とを組み立てることで、前記内箱と前記外箱との間に形成される内部空間に前記運搬用把手部を配置する工程と、
前記内部空間で断熱材を発泡させる工程と、を具備することを特徴とする冷蔵庫の製造方法。
【発明の詳細な説明】
【技術分野】
【０００１】
本発明は、冷蔵庫およびその製造方法に関し、特に、運搬のための把手が断熱箱体後面に配設される冷蔵庫およびその製造方法に関する。
【背景技術】
【０００２】
一般的な冷蔵庫は複数の貯蔵室を有し、例えば、上方から、冷蔵室、冷凍室および野菜室を有している。また、これらの貯蔵室は断熱箱体の内部に形成されている。
【０００３】
断熱箱体は、鋼板から構成される外箱と、外箱の内部に形成されて各貯蔵室を形成する樹脂板から成る内箱と、外箱と内箱との間に発泡充填される発泡充填剤とから構成される。このような断熱箱体から構成される冷蔵庫は重たいため、断熱箱体の後面などには、冷蔵庫を運搬するための把手が配設されている。冷蔵庫に把手が形成される構造は、例えば特許文献１に記載されている。
【０００４】
図１２に、把手が形成された冷蔵庫１００の一例を示す。図１２（Ａ）は冷蔵庫１００の後方上端部を示す斜視図であり、図１２（Ｂ）は当該部分の断面図である。
【０００５】
図１２（Ａ）を参照して、冷蔵庫１００の後方上端部には運搬把手部１０５が嵌め込まれている。運搬把手部１０５は、冷蔵庫１００の後方上端部をカバーする樹脂成形品であり、冷蔵庫１００を運搬する作業者が手を掛けるための凹状部が形成されている。運搬把手部１０５は、ビス１０４を介して冷蔵庫１００の断熱箱体１０１に取り付けられている。
【０００６】
図１２（Ｂ）を参照して、運搬把手部１０５の上端部を断熱箱体１０１に固定するビス１０４は、断熱箱体１０１の上面を内側に向かって貫通している。また、運搬把手部１０５の下端部は、断熱箱体１０１の後面に、外側から当接している。
【先行技術文献】
【特許文献】
【０００７】
【特許文献１】特開２００１−６６０４４号公報
【発明の概要】
【発明が解決しようとする課題】
【０００８】
しかしながら、上記した運搬把手部１０５の取付構造は、構造的な観点からも外観意匠の観点からも改善の余地があった。
【０００９】
具体的には、運搬把手部１０５の上端部を固定するビス１０４は、断熱箱体１０１に上面から挿入されている。即ち、ビス１０４は、断熱箱体１０１の上面を構成する外箱１０２およびその近傍の発泡樹脂１０３を貫通している。一方、発泡樹脂１０３の内部には、冷凍サイクルの冷媒が流通する冷媒配管が蛇行形成されている。よって、ビス１０４が冷媒配管に緩衝してしまう恐れがあった。
【００１０】
更に、運搬把手部１０５の下端は、外箱１０２の背面に外側から当接している。運搬把手部１０５の下端の断熱箱体１０１に対する接着が十分でない場合、運搬時等に於いて運搬把手部１０５の下端が、外箱１０２の背面から剥がれてしまう恐れがあった。
【００１１】
更に、運搬把手部１０５が断熱箱体１０１を外側から被覆することから、略直方体形状を呈する断熱箱体１０１の上端後方部から、運搬把手部１０５が突出してしまい、冷蔵庫１００全体としての外観意匠性が低下してしまう恐れがあった。
【００１２】
また、運搬把手部１０５の組み込み構造および外観意匠が向上された冷蔵庫を製造することも簡単ではなかった。
【００１３】
本発明は、上記の事情に鑑みてなされたものであり、その目的とするところは、運搬把手を冷蔵庫本体に対して強固に組み込み、且つ外観意匠性が向上された冷蔵庫およびその製造方法を提供することにある。
【課題を解決するための手段】
【００１４】
本発明の冷蔵庫は、前方に開口を有する断熱箱体と、前記断熱箱体の内部に形成された貯蔵室と、前記開口を前方から塞ぐ断熱扉と、を具備し、前記断熱箱体は、外箱と、内箱と、前記外箱と前記内箱との間に充填された断熱発泡材と、前記外箱を部分的に開口することで形成された把手用開口と、前記把手用開口に組み付けられた運搬用把手部と、を有し、前記運搬用把手部は、前記断熱箱体の内側に向かって窪む凹状部と、前記凹状部を取り囲む位置に配置されて前記外箱に取り付けられる取付部と、を有し、前記把手用開口の周縁部には、前記断熱箱体の内部に向かって突出し、前記運搬用把手部の前記取付部が取り付けられる被取付部が形成されることを特徴とする。
【００１５】
更に、本発明の冷蔵庫では、前記運搬用把手部は、一方向で対向する第１側辺部および第２側辺部と、他方向で対向する第３側辺部および第４側辺部と、を有し、前記第１側辺部には、前記外箱の前記被取付部と締結手段を介して取り付けられる第１取付部が形成され、前記第２側辺部、前記第３側辺部および前記第４側辺部には、前記外箱の前記被取付部に係合する第２取付部、第３取付部および第４取付部が形成されることを特徴とする。
【００１６】
更に、本発明の冷蔵庫では、前記運搬用把手部が取り付けられる前記把手用開口は、前記外箱の裏面部に形成されることを特徴とする。
【００１７】
更に、本発明の冷蔵庫では、前記運搬用把手部の前記取付部の近傍を開口することで取付開口を形成し、前記被取付部は、前記取付開口を挿通した状態で、前記取付部に取り付けられることを特徴とする。
【００１８】
更に、本発明の冷蔵庫では、前記把手用開口の周囲の前記外箱を曲折することで折返部を形成し、前記運搬用把手部の周辺部に形成した溝部に、前記折返部を嵌め込むことを特徴とする。
【００１９】
更に、本発明の冷蔵庫では、前記運搬用把手部の周縁部を平坦に形成することで周辺当接部を形成し、前記周辺当接部は前記外箱に内側から当接することを特徴とする。
【００２０】
更に、本発明の冷蔵庫の製造方法は、把手用開口が形成された外箱の裏面部を準備すると共に、凹状部と、前記凹状部を取り囲む位置に配置されて前記外箱に取り付けられる取付部と、を具備する運搬用把手部を準備する工程と、前記裏面部の前記把手用開口の周縁部に形成された被取付部に、前記運搬用把手部の前記取付部を取り付ける工程と、前記裏面部を前記外箱の側面部に組み付け、前記外箱と内箱とを組み立てることで、前記内箱と前記外箱との間に形成される内部空間に前記運搬用把手部を配置する工程と、前記内部空間で断熱材を発泡させる工程と、を具備することを特徴とする。
【発明の効果】
【００２１】
本発明の冷蔵庫は、前方に開口を有する断熱箱体と、前記断熱箱体の内部に形成された貯蔵室と、前記開口を前方から塞ぐ断熱扉と、を具備し、前記断熱箱体は、外箱と、内箱と、前記外箱と前記内箱との間に充填された断熱発泡材と、前記外箱を部分的に開口することで形成された把手用開口と、前記把手用開口に組み付けられた運搬用把手部と、を有し、前記運搬用把手部は、前記断熱箱体の内側に向かって窪む凹状部と、前記凹状部を取り囲む位置に配置されて前記外箱に取り付けられる取付部と、を有し、前記把手用開口の周縁部には、前記断熱箱体の内部に向かって突出し、前記運搬用把手部の前記取付部が取り付けられる被取付部が形成されることを特徴とする。従って、冷蔵庫の運搬に用いる運搬用把手を、外箱に対して内側から係合または螺合させているので、外箱の内部に於いて運搬用把手を容易に固定することができる。よって、運搬用把手を固定するために、断熱箱体の内部に向かって突出するビス等を用いないため、断熱箱体の内部に配設される冷媒配管等の他の部材に、ビス等が干渉してしまうことを防止することができる。また、運搬用把手を取り付けるための取付部および被取付部は、断熱箱体の内部に配置されるため、取付部および被取付部が外観に現れないことから、冷蔵庫全体の外観意匠性を向上することができる。
【００２２】
更に、本発明の冷蔵庫では、前記運搬用把手部は、一方向で対向する第１側辺部および第２側辺部と、他方向で対向する第３側辺部および第４側辺部と、を有し、前記第１側辺部には、前記外箱の前記被取付部と締結手段を介して取り付けられる第１取付部が形成され、前記第２側辺部、前記第３側辺部および前記第４側辺部には、前記外箱の前記被取付部に係合する第２取付部、第３取付部および第４取付部が形成されることを特徴とする。従って、運搬用把手を外箱に取り付ける際に、先ずは、運搬用把手の第２取付部、第３取付部および第４取付部を、外箱の把手用開口の周縁に形成された被取付部に係合させる。その後に、ビス等の締結手段を用いて運搬用把手の第１取付部を、外箱の被取付部に取り付ける。よって、運搬用把手を簡易に外箱に取り付けることができる。
【００２３】
更に、本発明の冷蔵庫では、前記運搬用把手部が取り付けられる前記把手用開口は、前記外箱の裏面部に形成されることを特徴とする。従って、裏面部の把手用開口に運搬用把手部を取り付けてから、裏面を外箱の側面部に取り付けることができる。よって、板状の裏面部に運搬用把手を取り付けることができることから、運搬用把手を取り付ける工程を更に簡易にすることができる。
【００２４】
更に、本発明の冷蔵庫では、前記運搬用把手部の前記取付部の近傍を開口することで取付開口を形成し、前記被取付部は、前記取付開口を挿通した状態で、前記取付部に取り付けられることを特徴とする。従って、外箱の被取付部が、取付開口を挿通した状態で運搬用把手部の取付部に取り付けられることで、被取付部を介して運搬用把手部を外箱に対して強固に固定することができる。
【００２５】
更に、本発明の冷蔵庫では、前記把手用開口の周囲の前記外箱を曲折することで折返部を形成し、前記運搬用把手部の周辺部に形成した溝部に、前記折返部を嵌め込むことを特徴とする。従って、把手用開口の周囲に形成した折返部を、運搬用把手部の溝部に嵌め込むことで、運搬用把手部をより正確な位置に取付け、更に、運搬用把手部を外箱に対して強固に取り付けることができる。
【００２６】
更に、本発明の冷蔵庫では、前記運搬用把手部の周縁部を平坦に形成することで周辺当接部を形成し、前記周辺当接部は前記外箱に内側から当接することを特徴とする。従って、運搬用把手部の周縁部に形成された周辺当接部を、外箱に内側から当接することで、運搬用把手部をより安定して外箱に組み込むことができる。よって、使用状況下に於いて、運搬用把手部を外側に引っ張るような力が作用したとしても、運搬用把手部が破損してしまうことを防止することができる。
【００２７】
更に、本発明の冷蔵庫の製造方法は、把手用開口が形成された外箱の裏面部を準備すると共に、凹状部と、前記凹状部を取り囲む位置に配置されて前記外箱に取り付けられる取付部と、を具備する運搬用把手部を準備する工程と、前記裏面部の前記把手用開口の周縁部に形成された被取付部に、前記運搬用把手部の前記取付部を取り付ける工程と、前記裏面部を前記外箱の側面部に組み付け、前記外箱と内箱とを組み立てることで、前記内箱と前記外箱との間に形成される内部空間に前記運搬用把手部を配置する工程と、前記内部空間で断熱材を発泡させる工程と、を具備することを特徴とする。従って、運搬用把手を外箱の裏面部に取り付けてから、裏面部を側面部に取り付けることで、外箱の内部に運搬用把手を配置させ、その後に外箱と内箱との間に断熱発泡材を充填させている。よって、製造工程の途中段階に於いて運搬用把手が裏面部から落下することを防止することができる。また、断熱発泡材を発泡する前に運搬用把手を外箱に固定することから、運搬用把手を固定するためのビス等を断熱発泡材で遮蔽できる。よって、運搬を固定するためのビス等が冷蔵庫の外観に現れないので、冷蔵庫の外観意匠性を向上することができる。
【図面の簡単な説明】
【００２８】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫を後方から見た斜視図である。
【図４】本発明の実施形態に係る冷蔵庫を示す図であり、（Ａ）は運搬用把手部が裏面部に取り付けられる構成を示す斜視図であり、（Ｂ）は裏面部を示す斜視図である。
【図５】本発明の実施形態に係る冷蔵庫を示す図であり、（Ａ）（Ｂ）および（Ｃ）は、運搬用把手部を示す斜視図である。
【図６】本発明の実施形態に係る冷蔵庫を示す図であり、運搬用把手部が取り付けられる構成を示す断面図である。
【図７】本発明の実施形態に係る冷蔵庫の製造方法を示す斜視図である。
【図８】本発明の実施形態に係る冷蔵庫の製造方法を示す斜視図である。
【図９】本発明の実施形態に係る冷蔵庫の製造方法を示す図であり、運搬用把手部を組み付ける状況を示す斜視図である。
【図１０】本発明の実施形態に係る冷蔵庫の製造方法を示す図であり、（Ａ）から（Ｃ）は裏面部に運搬用把手部を取り付ける工程を逐次的に示す断面図である。
【図１１】本発明の実施形態に係る冷蔵庫の製造方法を示す斜視図である。
【図１２】背景技術に係る冷蔵庫を示す図であり、（Ａ）は運搬用把手部が組み込まれる部分を示す斜視図であり、（Ｂ）はその部分の断面図である。
【発明を実施するための形態】
【００２９】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。
【００３０】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段左側が製氷室１６で右側が上段冷凍室１８、更にその下段が下段冷凍室１９である。また、最下段に野菜等が収納される野菜室２０が形成されている。尚、製氷室１６、上段冷凍室１８および下段冷凍室１９は、何れも冷凍温度域の貯蔵室であり、以下の説明ではこれらを冷凍室１７と総称する場合もある。
【００３１】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２２、２３、２４、２５は、各々収納容器と一体的に組み合わされ、冷蔵庫１０の前方に引出自在に、断熱箱体１１に支持されている。
【００３２】
図２は、冷蔵庫１０の概略構造を示す側方断面図である。図２に示すように、冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉２１〜２５も、断熱箱体１１と同様の断熱構造を採用している。
【００３３】
冷蔵室１５と、その下段に位置する冷凍室１７とは、断熱仕切壁８１によって仕切られている。冷凍室１７の内部の製氷室１６と上段冷凍室１８との間は、ここでは図示しない仕切壁によって仕切られている。また、製氷室１６及び上段冷凍室１８と、その下段に設けられた下段冷凍室１９との間は、冷却された空気である冷気が流通自在に連通している。そして、冷凍室１７と野菜室２０との間は、断熱仕切壁８２によって仕切られている。
【００３４】
冷蔵室１５の背面には、合成樹脂製の仕切体８３で区画され、冷蔵室１５へと冷気を供給する供給風路としての冷蔵室供給風路３０が形成されている。冷蔵室供給風路３０には、冷蔵室１５に冷気を流す吹出口３３が形成されている。
【００３５】
冷凍室１７の奥側には、冷却器８６で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器８６が配置されている。
【００３６】
冷却器８６は、圧縮機８８、図示しない放熱器、図示しない膨張手段であるキャピラリーチューブに冷媒配管を介して接続されており、蒸気圧縮式の冷凍サイクル回路を構成するものである。
【００３７】
冷却室２６は、断熱箱体１１の内部で、冷凍室供給風路３１の奥側に設けられている。冷却室２６と冷凍室１７との間は、合成樹脂製の仕切体８５によって仕切られている。
【００３８】
冷却室２６の前方に形成される冷凍室供給風路３１は、冷却室２６とその前方に組み付けられる合成樹脂製の前面カバー８４との間に形成された空間であり、冷却器８６で冷却された冷気を流す風路となる。前面カバー８４には、冷凍室１７に冷気を吹き出す開口である吹出口３４が形成されている。
【００３９】
冷却器８６の下方には、冷却器８６に付着した霜を融かして除去する除霜手段として、除霜ヒータ８７が設けられている。除霜ヒータ８７は、電気抵抗加熱式のヒータである。
【００４０】
冷却室２６の上部には、各貯蔵室につながる開口である送風口２７が形成されている。送風口２７は、冷却器８６で冷却された冷気を流す開口であり、冷却室２６と、冷蔵室供給風路３０および冷凍室供給風路３１とを連通させる。送風口２７には、冷凍室１７等に向けて冷気を送り出す図示しない送風機が配設されている。
【００４１】
図３を参照して、冷蔵庫１０の断熱箱体１１の上面および左右後側面は外箱１２から構成されている。また、外箱１２は、上面および左右両側面を覆う側面部２９と、後面を覆う裏面部２８とから構成されている。側面部２９および裏面部２８は、それぞれ、一枚の鋼板を曲折加工することで形成されている。
【００４２】
裏面部２８の上端部付近に２つの運搬用把手部４０が配設されている。運搬用把手部４０は、冷蔵庫１０を運搬する際に、作業者が手を掛けための部位である。運搬用把手部４０は、後述するように、裏面部２８に対して内側から組み込まれている。よって、運搬用把手部４０は裏面部２８に強固に組み付けられており、且つ、運搬用把手部４０の周囲の外観意匠性が向上されている。
【００４３】
図４を参照して、上記した運搬用把手部４０が裏面部２８に組み込まれる構成を説明する。図４（Ａ）は運搬用把手部４０が裏面部２８に組み込まれる部分を示す斜視図であり、図４（Ｂ）は運搬用把手部４０が組み込まれる部分の裏面部２８を示す斜視図である。
これら図は、運搬用把手部４０およびそれが組み込まれる箇所を前方上方からみた斜視図である。
【００４４】
図４（Ａ）を参照して、運搬用把手部４０は、裏面部２８の上端左方側に、内側である前方から取り付けられている。このように、運搬用把手部４０は、裏面部２８に内側から取り付けられているので、運搬用把手部４０が冷蔵庫１０の外側に突出することがない。よって、冷蔵庫１０を運搬する際に、運搬用把手部４０が冷蔵庫１０本体から剥がれてしまうことが防止されている。また、運搬用把手部４０およびその近傍の外観意匠性を向上することができる。
【００４５】
図４（Ｂ）を参照して、上記した運搬用把手部４０が配設される箇所には、裏面部２８を略矩形状に開口した把手用開口４２が形成されている。把手用開口４２は、裏面部２８の上端付近に於いて、左方端部および右方端部に形成されている。ここでは、左方側に形成される把手用開口４２のみを示している。
【００４６】
把手用開口４２の前面視での大きさは、上記した運搬用把手部４０の前面視での大きさよりも若干小さい程度とされている。このようにすることで、後述するように、運搬用把手部４０の周縁部を、把手用開口４２の周辺の裏面部２８に内側から当接させ、運搬用把手部４０を強固に固定することができる。
【００４７】
把手用開口４２の周縁付近には、運搬用把手部４０を取り付けるための被取付部４７が複数形成されている。被取付部４７は、把手用開口４２の周縁付近において、裏面部２８を構成する鋼板片を前方に向かって略直角に曲折加工することで形成される。被取付部４７は、把手用開口４２の左右側辺および下側辺に形成される被係合部４４と、把手用開口４２の上側辺に形成される被螺合部４３とから構成される。被係合部４４は、後述する運搬用把手部４０の第２取付部５３等が係合する部位である。また、被螺合部４３は、後述する運搬用把手部４０の第１取付部５２等が、ビス等を介して取り付けられる部位である。
【００４８】
把手用開口４２の角部を除外した周縁付近のほぼ全域を前方に向かって曲折することで、折返部５９が形成されている。折返部５９は、後述する運搬用把手部４０の前面に枠状且つ溝状に形成される溝部６０に挿入される。かかる構成により、運搬用把手部４０と把手用開口４２との相対的な位置をより正確に規定することができる。換言すると、上記した被取付部４７等は折返部５９から更に前方に向かって突出する鋼板片である。
【００４９】
図５を参照して、運搬用把手部４０の構成を詳述する。図５（Ａ）は運搬用把手部４０を前方上方から見た斜視図であり、図５（Ｂ）は運搬用把手部４０を前方下方から見た斜視図であり、図５（Ｃ）は運搬用把手部４０を後方上方から見た斜視図である。
【００５０】
図５（Ａ）および図５（Ｂ）を参照して、運搬用把手部４０は、射出成型された合成樹脂からなり、前方に向かって窪む凹状部４５が中央部に形成された部材である。凹状部４５の内部の大きさは、冷蔵庫１０を運搬する運搬者が手を掛けることを可能とする程度とされている。
【００５１】
運搬用把手部４０は、上下方向で対向する第１側辺部４８および第２側辺部４９と、左右方向で対向する第３側辺部５０および第４側辺部５１とを有する。第１側辺部４８が上方側の側辺であり、第２側辺部４９が下方側の側辺部であり、第３側辺部５０が左方側の側辺部であり、第４側辺部５１が右方側の側辺である。
【００５２】
第１側辺部４８に沿って２つの第１取付部５２が形成されている。第１取付部５２は、前方に向かって突出する突出部であり、その上面に後述するビス５７が螺合するビス穴が形成されている。
【００５３】
第２側辺部４９の近傍に、前方に向かって突出する第２取付部５３が形成されている。ここでは、第２側辺部４９に沿って２つの第２取付部５３が離間して配置されている。第２取付部５３の下面には、係合爪が形成されている。第２取付部５３は、図４（Ｂ）の把手用開口４２の下側辺に形成された被係合部４４に係合する。具体的には、被係合部４４に形成された係合開口に、第２取付部５３の係合爪が係合する。
【００５４】
第３側辺部５０の近傍に、前方に向かって突出する第３取付部５４が形成されている。第３取付部５４の左方側面には、左方に向かって突出する係合爪が形成されている。第３取付部５４は、図４（Ｂ）の把手用開口４２の左側辺に形成された被係合部４４に係合する。第３取付部５４が係合する構成は、第２取付部５３の場合と同様である。
【００５５】
第４側辺部５１の近傍に、前方に向かって突出する第４取付部５５が形成されている。第４取付部５５の右方側面には、右方に向かって突出する係合爪が形成されている。第４取付部５５は、図４（Ｂ）の把手用開口４２の右側辺に形成された被係合部４４に係合する。第４取付部５５が係合する構成は、第２取付部５３の場合と同様である。
【００５６】
更に、図５（Ｂ）を参照して、上記した取付部４６が形成された領域の近傍に於いて、運搬用把手部４０を開口している。具体的には、第１取付部５２、第２取付部５３、第３取付部５４および第４取付部５５の近傍に於いて、運搬用把手部４０を開口することで取付開口６１を形成している。取付開口６１は、細長く形成されている。各取付開口６１は取付部４６の外側に形成されている。具体的には、第１取付部５２の上方近傍に取付開口６１が形成されており、第２取付部５３の下方近傍に取付開口６１が形成されている。また、図５（Ａ）に示すように、第３取付部５４の左方近傍に取付開口６１が形成されている。更に、図５（Ｂ）に示すように、第４取付部５５の右方近傍に取付開口６１が形成されている。これらの取付開口６１は、後に説明するように、裏面部２８に形成される被取付部４７を前方側に向かって挿通されるための開口である。
【００５７】
図５（Ｃ）を参照して、運搬用把手部４０の周縁部近傍を、前方に向かって窪ませることで溝部６０が形成されている。溝部６０は、運搬用把手部４０の第１側辺部４８、第２側辺部４９、第３側辺部５０および第４側辺部５１に沿って、略枠状に連続して形成されている。運搬用把手部４０を裏面部２８に取り付けると、図４（Ｂ）に示した裏面部２８の折返部５９が、運搬用把手部４０の溝部６０に填まり込む。よって、運搬用把手部４０を裏面部２８に対して更に強固に取り付けることができる。また、図５（Ｃ）の視点では、上述した取付開口６１は、溝部６０の奥側に形成されている。
【００５８】
更に、運搬用把手部４０の最外周部を枠状且つ平坦に形成することで、周辺当接部５８が形成されている。後述するように、周辺当接部５８は裏面部２８に内側から当接する部位である。
【００５９】
図６を参照して、上記した構成を有する運搬用把手部４０が冷蔵庫１０に取り付けられる構成を説明する。図６は、運搬用把手部４０が取り付けられる部分を拡大して示す断面図である。
【００６０】
裏面部２８の上端部は、冷蔵庫１０の上面を構成する側面部２９に接続している。運搬用把手部４０は、裏面部２８の上端側に形成された把手用開口４２に取り付けられている。後述するように、運搬用把手部４０は、冷蔵庫１０の内側から、把手用開口４２に取り付けられている。
【００６１】
把手用開口４２の上方周縁部の鋼板片を内側に向かって曲折させることで、被螺合部４３が形成されている。被螺合部４３は、運搬用把手部４０の取付開口６１を前方に向かって貫通している。被螺合部４３の開口および運搬用把手部４０の第１取付部５２には、締結手段であるビス５７が挿通されている。ビス５７は、第１取付部５２の孔部に螺合することで、被螺合部４３および第１取付部５２を共締めしている。
【００６２】
把手用開口４２の下方周縁部の鋼板片を内側に向かって曲折させることで、被係合部４４が形成されている。被係合部４４は、運搬用把手部４０の取付開口６１を前方に向かって貫通している。被係合部４４の中間部を開口することで係合開口が形成されており、第２取付部５３の下面を部分的に下方に向かって突出させた係合爪は、被係合部４４の係合開口に係合する。このような係合構成は、図５（Ａ）に示した第３取付部５４、図５（Ｂ）に示した第４取付部５５に関しても同様である。
【００６３】
また、運搬用把手部４０の周辺部に枠状に形成された周辺当接部５８は、把手用開口４２の周辺部に於いて、裏面部２８に前面側から当接している。このようにすることで、冷蔵庫１０を運搬する際に、運搬する作業者が運搬用把手部４０に手を掛けることで、運搬用把手部４０を後方に引っ張るような外力が作用したとしても、把手用開口４２の周辺当接部５８が裏面部２８に当接することで、その外力に対抗することができる。
【００６４】
上記のように、本実施形態に係る冷蔵庫１０では、裏面部２８の一部を内側に向かって突出させることで被取付部４７を形成し、この被取付部４７に運搬用把手部４０の取付部４６を取り付けている。よって、運搬用把手部４０を取り付けるための取付部位が、冷蔵庫１０の外側に露出しない。更に、運搬用把手部４０の大部分は断熱箱体１１の内部に収納されており、運搬用把手部４０は外部に突出しない。このことから、冷蔵庫１０の外観意匠性を向上することができる。
【００６５】
更にまた、図６に示したように、運搬用把手部４０を裏面部２８に固定するためにビス５７を用いているが、ビス５７の先端部は運搬用把手部４０の内部に配置されている。従って、ビス５７が冷蔵庫１０の断熱箱体１１の内部空間に突出しないので、断熱箱体１１の内部空間に内蔵される冷媒配管に、ビス５７が不用意に接触してしまうことを防止することができる。
【００６６】
また、運搬用把手部４０は、螺合または係合する簡易な取付構造で裏面部２８の把手用開口４２に取り付けられることから、運搬用把手部４０を裏面部２８に取り付ける構成および工程を簡略化することができる。
【００６７】
図７以降の図を参照して、上記した各図も適宜参照しつつ、上記した構成を有する冷蔵庫１０の製造方法を説明する。
【００６８】
図７を参照して、先ず、上記した断熱箱体１１を構成する側面部２９を準備する。側面部２９は、鋼板に対して切断加工および切断加工を施すことで形成され、上記した断熱箱体１１の左右側側面および上面を構成している。側面部２９は、図２に示した外箱１２を構成するものである。
【００６９】
また、側面部２９の内面には、冷凍サイクルを構成する各機器を相互に接続する冷媒配管５６が固定されている。
【００７０】
図８を参照して、次に、側面部２９の内部に内箱１３を収納させる。内箱１３は、合成樹板から成り、前方に開口する複数の貯蔵室が形成されている。内箱１３の内部に、上記した冷蔵室１５および冷凍室１７が形成される。
【００７１】
図９を参照して、次に、裏面部２８の把手用開口４２に運搬用把手部４０を組み付ける。ここでは、裏面部２８の上端近傍に２つの把手用開口４２が形成されており、各把手用開口４２に運搬用把手部４０を前方から組み付ける。
【００７２】
図１０を参照して、本工程を詳述する。図１０の各図は裏面部２８に運搬用把手部４０を組み付ける工程を逐次的に示す断面図である。
【００７３】
図１０（Ａ）および図１０（Ｂ）を参照して、運搬用把手部４０を、裏面部２８の把手用開口４２が形成された部分に嵌め込む。そのようにすると、裏面部２８の把手用開口４２の周縁部に形成した被螺合部４３および被係合部４４が、運搬用把手部４０の取付開口６１に挿入される。
【００７４】
そのようにすることで、先ず、裏面部２８の被係合部４４に、運搬用把手部４０の第２取付部５３が係合する。同時に、図５（Ａ）に示した運搬用把手部４０の第３取付部５４、図５（Ｂ）に示した第４取付部５５も、第２取付部５３と同様に、裏面部２８の被係合部４４に係合する。よって、運搬用把手部４０が裏面部２８の所定箇所に仮止めされる。この時、運搬用把手部４０の最周辺に形成された平坦な周辺当接部５８は、把手用開口４２の周辺部に於いて、裏面部２８の前面に面的に接触している。
【００７５】
上記と同時に、把手用開口４２の上部に形成された被螺合部４３は、運搬用把手部４０の上部に形成された取付開口６１を挿通して、第１取付部５２の上面に配置される。
【００７６】
次に、図１０（Ｃ）に示すように、裏面部２８の被螺合部４３および運搬用把手部４０の第１取付部５２をビス５７で上方から共締めする。このようにすることで、運搬用把手部４０を裏面部２８に固定することができ、製造工程の途中で、運搬用把手部４０が離脱してしまうことを防止できる。
【００７７】
図１１を参照して、次に、側面部２９の後方開口を裏面部２８で塞ぐ。このようにすることで、側面部２９および裏面部２８から外箱１２が構成され、外箱１２と内箱１３との間に内部空間が形成される。また、裏面部２８の下面に取り付けられた運搬用把手部４０を、外箱１２の内部に配置することができる。
【００７８】
その後、外箱１２と内箱１３との間の内部空間に、開口４１から液状の断熱発泡材を導入した後に発泡させることで、この内部空間に例えばウレタンから成る断熱発泡材を充填する。上記工程が終了した後は、図１を参照して、断熱箱体１１に断熱扉２１等を開閉可能に取付け、内箱１３の前面開口を閉鎖する。
【００７９】
上記工程を経ることで、図１に示す構成を有する冷蔵庫１０が製造される。
【００８０】
本発明は、上記実施形態に限定されるものではなく、その他、本発明の要旨を逸脱しない範囲で、種々の変更実施が可能である。
【符号の説明】
【００８１】
１０   冷蔵庫
１１   断熱箱体
１２   外箱
１３   内箱
１４   断熱材
１５   冷蔵室
１６   製氷室
１７   冷凍室
１８   上段冷凍室
１９   下段冷凍室
２０   野菜室
２１   断熱扉
２２   断熱扉
２３   断熱扉
２４   断熱扉
２５   断熱扉
２６   冷却室
２７   送風口
２８   裏面部
２９   側面部
３０   冷蔵室供給風路
３１   冷凍室供給風路
３３   吹出口
３４   吹出口
４０   運搬用把手部
４１   開口
４２   把手用開口
４３   被螺合部
４４   被係合部
４５   凹状部
４６   取付部
４７   被取付部
４８   第１側辺部
４９   第２側辺部
５０   第３側辺部
５１   第４側辺部
５２   第１取付部
５３   第２取付部
５４   第３取付部
５５   第４取付部
５６   冷媒配管
５７   ビス
５８   周辺当接部
５９   折返部
６０   溝部
６１   取付開口
８１   断熱仕切壁
８２   断熱仕切壁
８３   仕切体
８４   前面カバー
８５   仕切体
８６   冷却器
８７   除霜ヒータ
８８   圧縮機
１００ 冷蔵庫
１０１ 断熱箱体
１０２ 外箱
１０３ 発泡樹脂
１０４ ビス
１０５ 運搬把手部
【図１】
2019109032.tif 000003
【図２】
2019109032.tif 000004
【図３】
2019109032.tif 000005
【図４】
2019109032.tif 000006
【図５】
2019109032.tif 000007
【図６】
2019109032.tif 000008
【図７】
2019109032.tif 000009
【図８】
2019109032.tif 000010
【図９】
2019109032.tif 000011
【図１０】
2019109032.tif 000012
【図１１】
2019109032.tif 000013
【図１２】
2019109032.tif 000014